(57)【要約】【課題】ユーザの好みに応じて、飾り具の配置を決定することができる、装飾機能を付加したドアストッパーを提供することを目的としている。【解決手段】装飾機能を付加したドアストッパーであって、ストッパー本体１を含み、該ストッパー本体１上には、飾り具１４と連結するための連結部材３が設置され、該ストッパー本体１の下部は、下から上に向かって拡張するような円弧状を呈する外側壁を有する高摩擦部２であることを特徴とする。【選択図】図１
0003227515.tif 000002
【実用新案登録請求の範囲】
【請求項１】
装飾機能を付加したドアストッパーであって、ストッパー本体を含み、該ストッパー本体の下部が、高摩擦部であり、該高摩擦部の外側壁は円弧状を呈する共に、下から上に向かって拡張するように形成され、前記ストッパー本体上には、飾り具と連結するための連結部材が設置されることを特徴とする装飾機能を付加したドアストッパー。
【請求項２】
前記連結部材が粘着手段であることを特徴とする請求項１に記載の装飾機能を付加したドアストッパー。
【請求項３】
前記連結部材が係合手段であることを特徴とする請求項１に記載の装飾機能を付加したドアストッパー。
【請求項４】
前記連結部材が螺合手段であることを特徴とする請求項１に記載の装飾機能を付加したドアストッパー。
【請求項５】
前記連結部材が支持ユニット、着脱ユニット、固定ユニットを含み、前記支持ユニットが前記固定ユニットを介して、前記飾り具と固定するように連結されると共に、前記着脱ユニットを介して、前記ストッパー本体と着脱可能に連結されることを特徴とする請求項１に記載の装飾機能を付加したドアストッパー。
【請求項６】
前記着脱ユニットが磁気吸引部と取合部を含み、前記磁気吸引部が前記支持ユニット上に設置され、それと対応するように、前記取合部が前記ストッパー本体上に設置されることを特徴とする請求項５に記載の装飾機能を付加したドアストッパー。
【請求項７】
前記着脱ユニットが磁気吸引部と取合部を含み、前記取合部が前記支持ユニット上に設置され、それと対応するように、前記磁気吸引部が前記ストッパー本体上に設置されることを特徴とする請求項５に記載の装飾機能を付加したドアストッパー。
【請求項８】
前記ストッパー本体の内部が制御スイッチと、該制御スイッチと連結する発光部材を含み、前記制御スイッチは、前記ストッパー本体が押されたり傾いたりすると、それを検知して、前記発光部材を点灯させることを特徴とする請求項５に記載の装飾機能を付加したドアストッパー。
【請求項９】
前記ストッパー本体は、収容空間と、該収容空間と外部空間とを連結する開口と、飾りカバーとを有し、該飾りカバーと前記ストッパー本体は着脱可能に連結され、前記飾りカバーの着脱に伴い、前記開口が開閉され、前記制御スイッチ及び前記発光部材は、前記収容空間に収容され、前記発光部材の発光を外部へ放出することを特徴とする請求項８に記載の装飾機能を付加したドアストッパー。
【請求項１０】
透光可能な飾り具をさらに含み、前記飾りカバーに、前記発光部材の一部が挿通できる挿通孔が設けられ、前記飾り具が、前記連結部材を介して、前記飾りカバーと連結されることを特徴とする請求項９に記載の装飾機能を付加したドアストッパー。
【請求項１１】
弾性部材と、前記収容空間に収容される電池及び回路基板をさらに含み、該回路基板上に、前記制御スイッチ及び前記発光部材が設置され、前記回路基板上に、前記電池に接続される導電端子が設置され、前記飾りカバーは、前記弾性部材の付勢力を介して、前記電池と前記回路基板の前記導電端子とを確実に当接させることを特徴とする請求項９に記載の装飾機能を付加したドアストッパー。
【請求項１２】
前記高摩擦部の内部にオモリが設置されることを特徴とする請求項１から請求項１１のいずれか一項に記載の装飾機能を付加したドアストッパー。
【請求項１３】
前記高摩擦部の材質がシリコンゴムであることを特徴とする請求項１２に記載の装飾機能を付加したドアストッパー。
【考案の詳細な説明】
【技術分野】
【０００１】
本考案は、ドアストッパーに関し、特に、装飾機能を付加したドアストッパーに関するものである。
【背景技術】
【０００２】
ドアストッパーは、オフィスや家庭などで広く使用されているものであり、以前から関連業者は、胴部下方に、地面との接地摩擦抵抗が大きく、かつ円弧状の外側壁を呈する高摩擦部が形成されるドアストッパーを開発研究している。使用する時は、ドアが、このようなドアストッパーに当ると、ドアストッパーが傾くが、胴部下方の高摩擦部が円弧状を呈することから、地面との摩擦面積が大きく、安定した高摩擦抵抗力が得られるので、倒れることがない。
【０００３】
しかしながら、上述したような円弧状の高摩擦部を有するドアストッパーは、見た目が地味で、販売促進効果に乏しいとの問題があった。この問題に対し、他の業者は、外観が改良されたドアストッパーを開発したが、ユーザに対しては、好みに応じて、飾り具の配置自由度がなかった。
【考案の概要】
【考案が解決しようとする課題】
【０００４】
本考案は、前記の従来技術の欠点に鑑みてなされたものであり、ユーザの好みに応じて、飾り具の配置を決定することができる、装飾機能を付加したドアストッパーを提供することを目的としている。
【課題を解決するための手段】
【０００５】
上記目的を達成するために、本考案は、装飾機能を付加したドアストッパーであって、ストッパー本体を含み、該ストッパー本体上には、飾り具と連結するための連結部材が設置され、該ストッパー本体の下部は、下から上に向かって拡張するような円弧状を呈する外側壁を有する高摩擦部であることを特徴とする。
【０００６】
前記連結部材が、粘着手段、係合手段又は螺合手段であることを特徴とする。
【０００７】
前記連結部材が支持ユニット、着脱ユニット、固定ユニットを含み、該支持ユニットが該固定ユニットを介して、飾り具と固定するように連結されると共に、該着脱ユニットを介して、前記ストッパー本体と着脱可能に連結されることを特徴とする。
【０００８】
前記着脱ユニットが磁気吸引部と取合部を含み、該磁気吸引部又は取合部が前記支持ユニット上に設置され、それと対応するように、該取合部又は該磁気吸引部が前記ストッパー本体上に設置されることを特徴とする。
【０００９】
前記ストッパー本体の内部が制御スイッチと、該制御スイッチと連結する発光部材を含み、該制御スイッチは、前記ストッパー本体が押されたり傾いたりすると、それを検知して、該発光部材を点灯させることを特徴とする。
【００１０】
前記ストッパー本体は、収容空間と、該収容空間と外部空間とを連結する開口と、飾りカバーを有し、該飾りカバーとストッパー本体は着脱可能に連結され、該飾りカバーの着脱に伴い、該開口が開閉され、前記制御スイッチ及び発光部材は、該収容空間内に収容され、該発光部材の発光を外部へ放出することを特徴とする。
【００１１】
透光可能な飾り具をさらに含み、前記飾りカバーに、前記発光部材の一部が挿通できる挿通孔が設けられ、該飾り具が、前記連結部材を介して、該飾りカバーと連結されることを特徴とする。
【００１２】
弾性部材と、前記収容空間に収容される電池及び回路基板をさらに含み、該回路基板上に、前記制御スイッチ及び発光部材が設置され、該回路基板上に、前記電池に接続される導電端子が設置され、前記飾りカバーは、該弾性部材の付勢力を介して、該電池と回路基板の導電端子とを確実に当接させることを特徴とする。
【００１３】
前記高摩擦部の内部にオモリが設置されることを特徴とす。
【００１４】
前記高摩擦部の材質がシリコンゴムであることを特徴とする。
【考案の効果】
【００１５】
上記の技術手段によれば、本考案は、少なくとも以下の優れた点と有利な効果を有する。本考案のドアストッパーは、所定の重量と、外側壁が円弧状を呈する高摩擦部を有することにより、使用時にドアが当ると、それに応じてドアストッパーが傾くが、胴部下方の高摩擦部が円弧状を呈するため、傾いても、地面との摩擦面積を大きく確保できることから、安定した高摩擦抵抗力が得られ、しかも倒れることがないので、ドアの開閉時の邪魔にならない。さらに、本考案に係るドアストッパーは、連結部材が設けられることにより、使用者は、該連結部材を介して、好みの飾り具をドアストッパー上に取り付けることができることから、ユーザーのニーズに応じて飾り具の配置自由度を高めることができるので、家庭内、オフィス内など様々な場所に用いることができる。
【図面の簡単な説明】
【００１６】
以下、図面及び本考案の好ましい実施形態と合わせて、本考案が所期の目的を達成するために採用する技術手段について更に述べる。
【００１７】
【図１】本考案に係るドアストッパーの斜視図である。
【図２】本考案に係るドアストッパーを斜め下から見た斜視図である。
【図３】本考案に係るドアストッパーの分解斜視図である。
【図４】本考案に係るドアストッパーの側面断面図である。
【考案を実施するための形態】
【００１８】
以下において、本考案に係るドアストッパーについて、例示された図面を参照しながら詳説する。図面は、単に技術特徴および利点をより分かりやすくするために示されたものであり、このときこの構成は、要求される保護範囲を制限するように理解されるべきではないと考えられるべきである。
【００１９】
本考案の説明において、上、下、前、後、左、右などの用語が示す方位又は位置関係は、図面に示す方位又は位置関係に基づくものであり、本考案の説明の便宜及び説明の簡素化のためのものに過ぎず、示される装置又はデバイスが特定の方位を有したり、特定の方位で構造及び操作されたりすることを指示又は暗示するものではないので、本考案を限定するものと理解してはいけない。
【００２０】
なお、「第１」、「第２」の用語は目的を説明するためだけに用いられるものであり、相対的な重要性を指示又は暗示するか、或いは示された技術的特徴の数を黙示的に指示すると理解してはいけない。ここで、「第１」、「第２」が限定されている特徴は一つ又はより多くの前記特徴を含むことを明示又は暗示し得るものである。本考案の実施形態の説明において、明確且つ具体的な限定がない限り、「複数」とは、２つ以上を意味する。
【００２１】
本明細書の説明において、「取り付ける」、「繋がる」、「接続」、「固定」等の用語は、広く理解されるべきであり、当業者は、具体的な状況によって本考案における上記用語の具体的な意味を理解することができる。
【００２２】
図1〜図４に示すように、本考案に係る装飾機能を付加したドアストッパーは、ストッパー本体１を含み、該ストッパー本体１の下部胴体に高摩擦部２が形成され、該高摩擦部２の外側壁は円弧状を呈すると共に、下から上に向かって徐々に拡張するように形成され、また、該ストッパー本体１上には、飾り具１４と連結するための連結部材３が設置される。
【００２３】
図２、図４に示すように、一部の実施例においては、前記高摩擦部２の内部にオモリ４を設置することで、不倒翁（起き上がりこぼし）のような構造とし、また、該高摩擦部２の外側壁を、球面又は楕円球状と呈することで、本考案を利用する際、ドーアが当ると、それに応じてドアストッパーが傾くが、胴部下方の高摩擦部２が円弧状を呈するため、傾いても、地面との摩擦面積を大きく確保できることから、安定した高摩擦抵抗力が得られ、しかも倒れることがないので、ドアの開閉時の邪魔にならない。
【００２４】
本考案の一部の実施例においては、前記高摩擦部２を、シリコンゴムなどの弾性ゴムで作ることで、摩擦抵抗性に優れ、かつ弾性が具備されるので、衝突によって傷ついたり傷つけたりすることがない。
【００２５】
使用者は、自分自身の好みにあった、前記異なる飾り具１４を連結部材３を介して、本考案のドアストッパー上に取り付けることができるので、ユーザーのニーズに応じて、飾り具１４の選定の自由度を高め、家庭内、オフィス内など様々な場所において、飾りとして用いることができる。
【００２６】
本考案の一部の実施例においては、前記連結部材３が、粘着手段や、係合手段、螺合手段であってもよく、例えば、該連結部材３が粘着手段である場合、使用者は好みの飾り具１４を選び、当該飾り具１４を、該粘着手段の粘着力によって、前記ストッパー本体１上に粘着させるように設置することができる。尚、前記連結部材３が係合手段である場合においては、該飾り具１４の底部に係合穴が形成され、該連結部材３に係合突起が設けられ、該係合穴に係合突起を締りばめによって固定することにより、該飾り具１４を、該ストッパー本体１に対して固定する。
【００２７】
前記飾り具１４の交換について、本考案の一部の実施例においては、図１及び図３に示すように、前記連結部材３が支持ユニット３１、着脱ユニット３２、及び固定ユニット３３をさらに含み、該支持ユニット３１を、該固定ユニット３３を介して、飾り具１４と固定するように連結することにより、該着脱ユニット３２を介して、前記ストッパー本体１と着脱可能に連結する。
【００２８】
また、前記支持ユニット３１を、前記着脱ユニット３２と固定ユニット３３との間に設置し、該固定ユニット３３は、粘着手段や螺合手段などを採用して、該固定ユニット３３を介して、異なる飾り具１４を該支持部材上に取り付けてもよく、該着脱ユニット３２は、係合手段や螺合手段などを採用してもよく、該着脱ユニット３２が螺合手段を採用する場合は、前記ストッパー本体１上に雌ネジを形成し、それと対応させるように、該支持ユニット３１上に雄ネジを形成する。
【００２９】
前記着脱ユニット３２は、磁気吸引部及び取合部を有してもよく、該磁気吸引部又は取合部を前記支持ユニット３１上に設け、それと対応させるように、取合部又は磁気吸引部を前記ストッパー本体１上に設けてもよい。
【００３０】
本考案の好適な実施例においては、前記取合部が前記支持ユニット３１上に一体成形されるように設置され、該取合部の材質は鉄板であってもよく、一方、前記磁気吸引は、前記ストッパー本体１上に設置される磁石である。
【００３１】
本考案の一部の実施例においては、前記ストッパー本体１内に、制御スイッチ５、及び制御スイッチ５と連結される発光部材６が設置され、該制御スイッチ５は、該ストッパー本体１が、押されたり傾けられたりした状態を検知して、該発光部材６の点灯を制御する。
【００３２】
前記制御スイッチ５は、傾斜検知スイッチ、振動検知スイッチ、又は角度検知スイッチであってもよく、前記ストッパー本体１内に電池７がさらに設けられており、該電池７は、該制御スイッチ５を介して、前記発光部材６に電力を供給する。具体的には、前記ストッパー本体１が直立な状態においては、前記制御スイッチ５がオフの状態であることから、前記発光部材６は点灯せず、アが、該ストッパー本体１に当たり、該ストッパー本体１が傾いたり振動したりすると、該制御スイッチ５がオン状態に切替わり、該発光部材６が点灯する。本考案に係るドアストッパーが光ると、より富んだ視覚的効果をもたらし、かつ光による報知効果を得られ、なおかつ、ドアを開閉して当該ストッパー本体１を手に持てば、懐中電灯として利用することも可能であるので、実用性や娯楽性を有する。
【００３３】
図３、図４では、部品交換などの修理の作業利便性を向上させるために、前記ストッパー本体１が、収容空間８と、該収容空間８と外部空間とを連結する開口１０と、飾りカバー９を含み、該飾りカバー９とストッパー本体１は着脱可能に連結され、該飾りカバー９の着脱に伴い、該開口１０が開閉され、前記制御スイッチ５及び発光部材６は、該収容空間８内に収容され、この構成により、該発光部材６の光を外部へ放出する。
【００３４】
本考案の一部の実施例においては、前記発光部材６の発光を外部へ効率よく放出するため、前記飾りカバー９を透明な材料で作ることが好ましく、又は該飾りカバー９に、該発光部材６の一部が挿通できる挿通孔を設けてもよい。尚、前記着脱ユニット３２が部を有する實施形態においては、磁石が前記飾りカバー９と一体成形されることが好ましい。
【００３５】
本考案に係る、前記ドアストッパーにおける高摩擦部２は、弾性を有するシリコンゴムからなり、該高摩擦部２の内部に内部ケース１１が設けられ、該内部ケース１１には、収容空間８が形成され、前記オモリ４が該内部ケース１１の下方に設けられる。
【００３６】
前記飾りカバー９とストッパー本体１とは、係合爪と被係合爪を介して連結され、そのうち飾りカバー９は、平面視が円形状であって、これに対応するように、前記開口１０も、平面視が円形状であり、また、前記飾りカバー９の外周壁面に雄ネジが形成され、これに対応するように、前記内部ケース１１の内周壁面に雌ネジが形成され、該飾りカバー９と内部ケース１１とは螺合により連結される。尚、本考案の好適な実施例においては、前記飾りカバー９の外周壁面上にスライド部材１２が設けられると共に、前記内部ケース１１の内周壁面上にスライド溝１３が設けられ、該スライド溝１３の一端には、前記ストッパー本体１の上端面と連通する切り欠きが設けられ、該切り欠きにより、該スライド部材１２を該スライド溝１３に進入させることが可能となる。
【００３７】
本考案の一部の実施例において、本考案に係るドアストッパーは飾り具１４を含み、該飾り具１４は透光性であっても、非透光性であってもよく、該飾り具１４が透光性である場合、該飾り具１４は、前記連結部材３を介して前記飾りカバー９と連結され、前記発光部材6の発光は、該飾り具１４を通って外部へ放出される。これにより、より富んだ視覚的効果を生じさせる。尚、前記連結部材３が支持ユニット３１を含む実施形態においては、該支持ユニット３１上に、光を通過させる貫通穴が形成される。
【００３８】
本考案の一部の実施例において、本考案に係るドアストッパーは、弾性部材１５及び回路基板１６を含み、前記制御スイッチ５及び発光部材６が該回路基板１６上に設置され、該回路基板１６と前記電池７が前記収容空間８内に収容され、該回路基板１６上に、該電池７と接続する導電端子が設置され、前記飾りカバー９は、該弾性部材１５の付勢力を介して該電池７と回路基板１６の導電端子とを確実に当接させる。
【００３９】
本考案の一部の実施例において、前記弾性部材１５は、スプリング又はゴムリングであってもよく、前記電池７が前記収容空間８の最下部に配置され、前記回路基板１６が該電池７の上方に配置され、前記回路基板１６は、前記導電端子を介して該電池７に電気的に連結されて、前記発光部材６に電力を供給し、前記飾りカバー９は、前記開口１０を選択的に開閉することができ、これにより、該開口１０を閉じた時に段差が生じることがなく、該開口１０を開放する時、前記弾性部材１５が該飾りカバー９を開く方向に付勢するように押し付ける。
【００４０】
本考案は、上述の実施形態に限定されるものではなく、その要旨を逸脱しない範囲において、種々な変更又は取替えが可能であることは言うまでもない。
【００４１】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００４２】
１  ストッパー本体
１０  開口
１１  内部ケース
１２  スライド部材
１３  スライド溝
１４  飾り具
１５  弾性部材
１６  回路基板
２  高摩擦部
３  連結部材
３１  支持ユニット
３２  着脱ユニット
３３  固定ユニット
４  オモリ
５  制御スイッチ
６  発光部材
７  電池
８  収容空間
９  飾りカバー
【図１】
0003227515.tif 000003
【図２】
0003227515.tif 000004
【図３】
0003227515.tif 000005
【図４】
0003227515.tif 000006